(57)【要約】課題  左右の音声信号に含まれている中間出力信号Ｓを取出し、左右のスピーカーの中間に置かれた中間スピーカーから再生する。解決手段  ２入力端子を有する１次側巻線と３出力端子を有する２次側巻線を備えた第１、第２および第３のトランスＴ１、Ｔ２、Ｔ３とよりなり、第１のトランスの２次側巻線の１の出力端子を第３のトランスの２次側巻線の一方の出力端子に接続し、第２の変換器の２次側巻線の１の出力端子を第３のトランスの２次側巻線の前記と異なる他方の出力端子に接続し、前記第１のトランスの１次側巻線の一方の入力端子に左複合信号Ｌｏを加え、第２のトランスの１次側巻線の一方の入力端子に右複合信号Ｒｏを加え、前記第３のトランスの２次側巻線の２出力端子間にある中間出力端子から中間出力信号Ｓを分離する。
2004077883.tif 000002
【特許請求の範囲】
【請求項１】
２入力端子を有する１次側部と３出力端子を有する２次側部を備えた変換手段よりなり、
音声信号の右信号Ｒ、左信号Ｌおよび中間出力信号Ｓとした場合に、
前記一方の入力端子にＬ＋Ｓ信号を入力し、前記他方の入力端子にＲ＋Ｓ信号を入力し、
前記中間出力端子からＳ信号を出力することを特徴とするステレオ信号取出回路。
【請求項２】
２入力端子を有する１次側部と３出力端子を有する２次側部を備えた第１、第２および第３の変換器とよりなり、
第１の変換器の２次側部の１の出力端子を第３の変換器の２次側部の一方の出力端子に接続し、
第２の変換器の２次側部の１の出力端子を第３の変換器の２次側部の前記と異なる他方の出力端子に接続し、
前記第１の変換器の１次側部の一方の入力端子に左信号Ｌと中間出力信号Ｓとを含む左複合信号Ｌｏを加え、第２の変換器の１次側部の一方の入力端子に右信号Ｒと中間出力信号Ｓとを含む右複合信号Ｒｏを加え、
前記第３の変換器の２次側部の２出力端子間にある中間出力端子から中間出力信号Ｓを分離すことを特徴とするステレオ信号取出回路。
【請求項３】
２入力端子を有する１次側部と３出力端子を有する２次側部を備えた第１、第２および第３の変換器とよりなり、
第１の変換器の１次側部の一方の入力端子と第３の変換器の１次側部の一方の入力端子とを接続し、
第２の変換器の１次側部の一方の入力端子と第３の変換器の１次側部の前記と異なる他方の入力端子とを接続し、
第１、第２、第３変換器の２次側部をデルタ結線し、
前記接続された第１の変換器の１次側部の一方の入力端子と第３の変換器の１次側部の一方の入力端子に左信号Ｌと中間出力信号Ｓとを含む左複合信号Ｌｏを加え、
前記接続された第２の変換器の１次側部の一方の入力端子と第３の変換器の１次側部の他方の入力端子に右信号Ｒと中間出力信号Ｓとを含む右複合信号Ｒｏを加え、
第１および第２の２次側部の２出力端子間にある中間出力端子から左信号Ｌおよび右信号Ｒを分離し、
第３の変換器の２次側部の２出力端子間にある中間出力端子から右信号Ｒおよび左信号Ｌに含まれる中間出力信号Ｓを分離すことを特徴とするステレオ信号取出回路。
【請求項４】
２入力端子を有する１次側部と３出力端子を有する２次側部を備えた第１、第２および第３の変換器とよりなり、
第１の変換器の１次側部の一方の入力端子と第３の変換器の１次側部の一方の入力端子とを接続し、
第２の変換器の１次側部の一方の入力端子と第３の変換器の１次側部の前記と異なる他方の入力端子とを接続し、
第１、第２、第３変換器の２次側部をデルタ結線し、
前記接続された第１の変換器の１次側部の一方の入力端子と第３の変換器の１次側部の一方の入力端子にスイッチング素子を介して左信号Ｌと中間出力信号Ｓとを含む左複合信号Ｌｏを加え、
前記接続された第２の変換器の１次側部の一方の入力端子と第３の変換器の１次側部の他方の入力端子にスイッチング素子を介して右信号Ｒと中間出力信号Ｓとを含む右複合信号Ｒｏを加え、
第１および第２の２次側部の中間出力端子からそれぞれ左信号Ｌおよび右信号Ｒを取出し、
第３の変換器の２次側部の中間出力端子から左右信号Ｒに含まれる中間出力信号Ｓを取出すことを特徴とするステレオ信号取出回路。
【請求項５】
前記スッチング素子は半導体素子であることを特徴とする請求の範囲第４項記載のステレオ信号取出回路。
【請求項６】
前記スッチング素子は５０ＫＨＺでオン・オフさせることを特徴とする請求の範囲第４項記載のステレオ信号取出回路。
【請求項７】
前記第１、第２および第３の変換器は両端に入力端子を有する１次側巻線と両端に出力端子および中間出力端子を有する２次側巻線を備えたトランスであることを特徴とする請求の範囲第２項または第３項または第４項記載のステレオ信号取出回路。
【請求項８】
前記第１、第２および第３の変換器は入力部と出力部が直流的に分離された２つの差動増幅回路よりなり、
前記差動増幅回路の各＋入力端子と−入力端子をそれぞれ接続した２入力端子を有する１次側部と、
前記差動増幅回路の出力端子に接続された２出力端子および出力電源に接続された中間出力端子を有する２次側部とを備えた電子式のトランスであることを特徴とする請求項２または請求項３または請求項４記載のステレオ信号取出回路。
【請求項９】
２入力端子を有する１次側部と２出力端子および該２出力端子間にある中間出力端子を有する第１の２次側部よび第２の２次側部を備えた第１、第２および第３の変換器とよりなり、
第１の変換器の１次側部の一方の入力端子と第３の変換器の１次側部の一方の入力端子とを接続し、
第２の変換器の１次側部の一方の入力端子と第３の変換器の１次側部の他方の入力端子とを接続し、
前記第１、第２、第３の変換器の第１の２次側部および第２の２次側巻線をそれぞれデルタ結線し、
前記デルタ結線された第１、第２および第３の変換器の第１および第２の２次側部の中間出力端子を各々差動増幅器の入力端子に接続し、
前記接続された第１の変換器の１次側部の一方の入力端子と第３の変換器の１次側部の一方の入力端子に左信号Ｌと中間出力信号Ｓとを含む左複合信号Ｌｏを加え、
前記接続された第２の変換器の１次側部の一方の入力端子と第３の変換器の１次側部の他方の入力端子に右信号Ｒと中間出力信号Ｓとを含む右複合信号Ｒｏを加え、
前記各差動増幅器の出力端子から左信号Ｌ、右信号Ｒおよび中間出力信号Ｓを取出すことを特徴とするステレオ信号取出回路。
【請求項１０】
２入力端子を有する１次側部と２出力端子および該２出力端子間にある中間出力端子を有する第１の２次側部よび第２の２次側部を備えた第１、第２、第３、第４、第５および第６の変換器とよりなり、
第１の変換器の１次側部の一方の入力端子と第３の変換器の１次側部の一方の入力端子とを接続し、
第２の変換器の１次側部の一方の入力端子と第３の変換器の１次側部の他方の入力端子とを接続し、
前記第４、第５および第６の変換器の１次側部の両入力端子を前記第１、第２、第３の変換器の第１の２次側巻線および第２の２次側巻線の中間出力端子にバッファアンプを介して接続し、
第１の変換器の１次側部の−入力端子に左信号Ｌと中間出力信号Ｓとを含む左複合信号Ｌｏを加え他入力端子をアースし、第２の変換器の１次側部の−入力端子に右信号Ｒと中間出力信号Ｓとを含む右複合信号Ｒｏを加え他入力端子をアースし、第３の変換器の１次側部の両入力端子にそれぞれ左信号Ｌおよび右信号Ｒを加え、
前記第１、第２または第３変換器の前記信号が加えられたいずれか−入力端子と第４、第５または第６変換器のいずれかの第１の２次側部または第２の２次側部の中間出力端子とを接続し、
前記バッファアンプから左信号Ｌおよび右信号Ｒ及び中間出力信号Ｓを取出すことを特徴とするステレオ信号取出回路。
【請求項１１】
前記第１、第２および第３の変換器は両端に入力端子を有する１次側巻線と両端に出力端子および中間出力端子を有する第１および第２の２次側巻線を備えたトランスであることを特徴とする請求の範囲第８項又第９項または第１０項記載のステレオ信号取出回路。
【請求項１２】
前記第１、第２および第３の変換器は入力部と出力部が直流的に分離された２つの対をなす差動増幅回路よりなり、
前記差動増幅回路の各＋入力端子および−入力端子をそれぞれ接続した２入力端子を有する１次側部と、
前記差動増幅回路の出力端子に接続された２出力端子および出力電源に接続された中間出力端子を有する第１および第２の２次側部を備えた電子式のトランスであることを特徴とする請求の範囲第９項または又は第１０項記載のステレオ信号取出回路。
【請求項１３】
ステレオ信号取出回路の入力端子にそれぞれ左信号Ｌと中間出力信号Ｓとを含む右複合信号Ｌｏと右信号Ｒと中間出力信号Ｓとを含む右複合信号Ｒｏを加え、前記ステレオ信号取出回路の出力端子から左信号Ｌ、右信号Ｒおよび中間出力信号Ｓを取出し、
前記左信号Ｌを左側のスピーカーから再生し、右信号Ｒを右側のスピーカーから再生し、中間出力信号Ｓを左側のスピーカーと右側のスピーカーの中間に置かれた中間スピーカーから再生をすることを特徴とするステレオ再生装置。
【請求項１４】
第１のステレオ信号取出回路の入力端子にそれぞれ左信号Ｌと中間出力信号Ｓとを含む左複合信号Ｌｏと右信号Ｒと中間出力信号Ｓとを含む右複合信号Ｒｏを加え、出力端子から前記左信号Ｌおよび右信号Ｒに含まれている第１の中間出力信号Ｓを取出し、
第２のステレオ信号取出回路の入力端子に一方に前記左信号Ｌ又は右信号Ｒを加え、他端子に取出された第１の中間出力信号Ｓを加え、ステレオ信号取出回路から第２の中間出力信号Ｓ、第３の中間出力信号Ｓを取出すことを特徴とするステレオ信号取出回路。
【請求項１５】
第１のステレオ信号取出回路の入力端子にそれぞれ左信号Ｌと中間出力信号Ｓとを含む左複合信号Ｌｏと右信号Ｒと中間出力信号Ｓとを含む右複合信号Ｒｏを加え、
第２および第３のステレオ信号取出回路の出力端子から左信号Ｌ、右信号Ｒおよび第１、第２、第３の中間出力信号Ｓを取出し、
左信号Ｌを左側のスピーカーから再生し、右信号Ｒを右側信号から再生し、第１の中間出力信号Ｓを左側のスピーカーと右側のスピーカーの中間に置かれた第１の中間スピーカーから再生し
第２の中間出力信号Ｓを左側のスピーカーと第１の中間スピーカーとの中間に置かれた第２の中間スピーカーから再生し
第３の中間出力信号Ｓを右側のスピーカーと第１の中間スピーカーとの中間に置かれた第３の中間スピーカーから再生することことを特徴とするステレオ再生装置。
【発明の詳細な説明】
【技術分野】  本発明は左信号と右信号の中間にある中間出力信号を取出し、中間にあるスピーカから再生することにより、どの位置で聞いても立体音を楽しめることができるようにしたステレオ再生装置に関する。
【背景技術】  左右２信号で伝送されたステレオ信号を左右２つのスピーカーで再生すると、左信号Ｌは左のスピーカーから再生され、右信号Ｒは右のスピーカーから再生される。そして中央の信号は左右２つのスピーカーから同時に再生されて、左右のスピーカー間の中央に位置した聴取者には、この再生音が２つのスピーカーの中央から聴こえてくる。
しかしこの時中央の聴取者が左のスピーカー前方に移動すると、この聴取者には左の音と中央の音までが左のスピーカーから聞え、右のスピーカーからは右の音しか聞えない。中央に定位すべき音が聴取者の位置につれて移動し適正な再生状態が得られなくなる。
これは高忠実度再生を目指すステレオ再生にとって非常に大きな問題であり、カーステレオのみならず、多数の聴取者が同時に聴く映画館やコンサート会場などにおいて重大な問題となる。
図１６は斯かる問題を解決したものである。入力端子１Ｌ、１Ｒから左右の音声信号Ｌｉ、Ｒｉを入力し、増幅回路２ＬＦ、２ＲＦで増幅し、聴取者の前方に置かれた左右のスピーカー３ＬＦ、３ＲＦから左右の音声信号を発生させる。それと共に左右の音声信号Ｌｉ、Ｒｉをサラウンド回路４に加え、擬似のセンターチャンネルの音声信号Ｃを発生させる。そして発生された擬似のセンターチャンネルの音声信号Ｃを左右のスピーカー３ＬＦ、３ＲＦの中間に置かれたセンタースピーカー３ＣＦから発生させることが行われている。
またサラウンド回路４からはサランド信号ΔＬ、ΔＲを発生させる。発生されたサランド信号ΔＬ、ΔＲを増幅回路２ＬＢ、２ＲＢで増幅し、聴取者の後方に置かれた左右のスピーカー３ＬＢ、３ＲＢからサランド信号ΔＬ、ΔＲを発生させる。
【発明が解決しようとする課題】
従来の左右２信号で伝送されたステレオ信号を左右２つのスピーカーで再生するとき、中央の信号は左右２つのスピーカーから同時に再生されて、左右のスピーカー間の中央に位置した聴取者には、この再生音が２つのスピーカーの中央から聴こえてくるので、立体感があるＨｉＦｉ信号を聴くことができる。
しかし聴取者が左のスピーカー前方に移動すると、この聴取者には左の音と中央の音までが左のスピーカーから聞え、右スピーカーからは右の音しか聞えない。従って中央に定位すべき音が聴取者の位置につれて移動し適正な再生状態が得られなくなる。
斯かる欠点を除去するため、左右の信号から擬似の中央チャンネルの信号を取出し、左右のスピーカーの中央に置かれたスピーカーから取出された擬似の中央チャンネルの信号を発生させるものがある。しかし中央チャンネルの信号は左右信号Ｒの真の中央の信号でないため、依然として聴取者が左のスピーカー前方に移動すると、中央に定位すべき音が聴取者の位置につれて移動し適正な再生状態が得られなくなる。
【課題を解決するための手段】
本発明は左右の音声信号に含まれている中間出力信号Ｓを取出し、取出された中間出力信号Ｓを左右のスピーカーの中間に置かれた中間スピーカーから再生することにより、聴取者のいる位置に係わらず臨場感が溢れた高忠実度のステレオ音声を聴くことができるようにしたもので、
２入力端子を有する１次側部と３出力端子を有する２次側部を備えた変換手段よりなり、音声信号の右信号Ｒ、左信号Ｌおよび中間出力信号Ｓとした場合に、前記一方の入力端子にＬ＋Ｓ信号を入力し、前記他方の入力端子にＲ＋Ｓ信号を入力し、前記両側の出力端子からそれぞれＬ信号、Ｒ信号を出力し、前記中間出力端子からＳ信号を出力するステレオ信号取出回路を提供する。
本発明は２入力端子を有する１次側部と３出力端子を有する２次側部を備えた第１、第２および第３の変換器とよりなり、第１の変換器の２次側部の１の出力端子を第３の変換器の２次側部の一方の出力端子に接続し、第２の変換器の２次側部の１の出力端子を第３の変換器の２次側部の前記と異なる他方の出力端子に接続し、前記第１の変換器の１次側部の一方の入力端子に左信号Ｌと中間出力信号Ｓとを含む左複合信号Ｌｏを加え、第２の変換器の１次側部の一方の入力端子に右信号Ｒと中間出力信号Ｓとを含む右複合信号Ｒｏを加え、前記第３の変換器の２次側部の２出力端子間にある中間出力端子から中間出力信号Ｓを分離するステレオ信号取出回路を提供する。
本発明は２入力端子を有する１次側部と３出力端子を有する２次側部を備えた第１、第２および第３の変換器とよりなり、第１の変換器の１次側部の一方の入力端子と第３の変換器の１次側部の一方の入力端子とを接続し、第２の変換器の１次側部の一方の入力端子と第３の変換器の１次側部の前記と異なる他方の入力端子とを接続し、第１、第２、第３変換器の２次側部をデルタ結線し、前記接続された第１の変換器の１次側部の一方の入力端子と第３の変換器の１次側部の一方の入力端子に左信号Ｌと中間出力信号Ｓとを含む左複合信号Ｌｏを加え、前記接続された第２の変換器の１次側部の一方の入力端子と第３の変換器の１次側部の他方の入力端子に右信号Ｒと中間出力信号Ｓとを含む右複合信号Ｒｏを加え、第１および第２の２次側部の２出力端子間にある中間出力端子から左信号Ｌおよび右信号Ｒを分離し、第３の変換器の２次側部の２出力端子間にある中間出力端子から右信号Ｒおよび左信号Ｌに含まれる中間出力信号Ｓを分離するステレオ信号取出回路を提供する。
本発明は２入力端子を有する１次側部と３出力端子を有する２次側部を備えた第１、第２および第３の変換器とよりなり、第１の変換器の１次側部の一方の入力端子と第３の変換器の１次側部の一方の入力端子とを接続し、第２の変換器の１次側部の一方の入力端子と第３の変換器の１次側部の前記と異なる他方の入力端子とを接続し、第１、第２、第３変換器の２次側部をデルタ結線し、前記接続された第１の変換器の１次側部の一方の入力端子と第３の変換器の１次側部の一方の入力端子にスイッチング素子を介して左信号Ｌと中間出力信号Ｓとを含む左複合信号Ｌｏを加え、前記接続された第２の変換器の１次側部の一方の入力端子と第３の変換器の１次側部の他方の入力端子にスイッチング素子を介して右信号Ｒと中間出力信号Ｓとを含む右複合信号Ｒｏを加え、第１および第２の２次側部の中間出力端子からそれぞれ左信号Ｌおよび右信号Ｒを取出し、第３の変換器の２次側部の中間出力端子から左右の複合信号Ｌｏ、Ｒｏに含まれる中間出力信号Ｓを取出すステレオ信号取出回路を提供する。
本発明は２入力端子を有する１次側部と３出力端子を有する第１の２次側部よび第２の２次側部を備えた第１、第２および第３の変換器とよりなり、第１の変換器の１次側部の一方の入力端子と第３の変換器の１次側部の一方の入力端子とを接続し、第２の変換器の１次側部の一方の入力端子と第３の変換器の１次側部の他方の入力端子とを接続し、前記第１、第２、第３の変換器の第１の２次側部および第２の２次側部をそれぞれデルタ結線し、デルタ結線された第１、第２および第３の変換器の第１の２次側部および第２の２次側部の中間出力端子を各々差動増幅器の入力端子に接続し、前記接続された第１の変換器の１次側部の一方の入力端子と第３の変換器の１次側部の一方の入力端子に左信号Ｌと中間出力信号Ｓとを含む左複合信号Ｌｏを加え、前記接続された第２の変換器の１次側部の一方の入力端子と第３の変換器の１次側部の他方の入力端子に右信号Ｒと中間出力信号Ｓとを含む右複合信号Ｒｏを加え、前記各差動増幅器の出力端子から左信号Ｌ、右信号Ｒおよび中間出力信号Ｓを取出すステレオ信号取出回路を提供する。
本発明は２入力端子を有する１次側部と３出力端子を有する第１の２次側部よび第２の２次側部を備えた第１、第２、第３、第４、第５および第６の変換器とよりなり、第１の変換器の１次側部の一方の入力端子と第３の変換器の１次側部の一方の入力端子とを接続し、第２の変換器の１次側部の一方の入力端子と第３の変換器の１次側部の他方の入力端子とを接続し、前記第４、第５および第６の変換器の１次側部の両入力端子を前記第１、第２、第３の変換器の第１の２次側巻線および第２の２次側巻線の中間出力端子にバッファアンプを介して接続し、
第１の変換器の１次側部の−入力端子に左信号Ｌと中間出力信号Ｓとを含む左複合信号Ｌｏを加え他入力端子をアースし、第２の変換器の１次側部の−入力端子に右信号Ｒと中間出力信号Ｓとを含む右複合信号Ｒｏを加え他入力端子をアースし、第３の変換器の１次側部の両入力端子にそれぞれ左信号Ｌおよび右信号Ｒを加え、
前記第１、第２または第３変換器の前記信号が加えられたいずれか−入力端子と第４、第５または第６変換器のいずれかの第１の２次側部または第２の２次側部の中間出力端子とを接続し、前記バッファアンプから左信号Ｌおよび右信号Ｒ及び中間出力信号Ｓを取出すステレオ信号取出回路を提供する。
本発明はステレオ信号取出回路の入力端子にそれぞれ左信号Ｌと中間出力信号Ｓとを含む右複合信号Ｌｏと右信号Ｒと中間出力信号Ｓとを含む右複合信号Ｒｏを加え、前記ステレオ信号取出回路の出力端子から左信号Ｌ、右信号Ｒおよび中間出力信号Ｓを取出し、前記左信号Ｌを左側のスピーカーから再生し、右信号Ｒを右側のスピーカーから再生し、中間出力信号Ｓを左側のスピーカーと右側のスピーカーの中間に置かれた中間スピーカーから再生をするステレオ再生装置を提供する。
本発明は第１のステレオ信号取出回路の入力端子にそれぞれ左信号Ｌと中間出力信号Ｓとを含む左複合信号Ｌｏと右信号Ｒと中間出力信号Ｓとを含む右複合信号Ｒｏを加え、出力端子から前記左信号Ｌおよび右信号Ｒに含まれている第１の中間出力信号Ｓ１を取出し、第２、第３のステレオ信号取出回路の入力端子の一方に前記左信号Ｌ又は右信号Ｒを加え、他端子に取出された第１の中間出力信号Ｓ１を加え、ステレオ信号取出回路から第２の中間出力信号Ｓ２、第３の中間出力信号Ｓ３を取出すステレオ信号取出回路を提供する。
本発明は第１のステレオ信号取出回路の入力端子にそれぞれ左信号Ｌと中間出力信号Ｓとを含む左複合信号Ｌｏと右信号Ｒと中間出力信号Ｓとを含む右複合信号Ｒｏを加え、第２および第３のステレオ信号取出回路の出力端子から左信号Ｌ、右信号Ｒおよび第１、第２、第３の中間出力信号Ｓを取出し、左信号Ｌを左側のスピーカーから再生し、右信号Ｒを右側信号から再生し、第１の中間出力信号Ｓ１を左側のスピーカーと右側のスピーカーの中間に置かれた第１の中間スピーカーから再生し、第２の中間出力信号Ｓ２を左側のスピーカーと第１の中間スピーカーとの中間に置かれた第２の中間スピーカーから再生し、第３の中間出力信号Ｓ３を右側のスピーカーと第１の中間スピーカーとの中間に置かれた第３の中間スピーカーから再生するステレオ再生装置を提供する。
【発明を実施するための最良の形態】  本発明の実施の形態を図１から図１５を参照して詳細に説明する。
図１は本発明のステレオ再生装置の用いたステレオ信号取出回路１４のブロック図である。入力端子１５Ｌ、１５Ｒに接続された共通信号検出回路１７及び差動増幅回路１６Ｌ、１６Ｒを有する。
入力端子１５Ｌ、１５ＲにはＣＤあるいはテープ等から再生され伝送された左複合信号Ｌｏおよび右複合信号Ｒｏが加えられる。左複合信号Ｌｏには左信号Ｌと中間出力信号Ｓが含まれるＬ＋Ｓ信号であり、同様に右複合信号Ｒｏには右信号Ｒと中間出力信号Ｓが含まれＲ＋Ｓ信号である。
入力端子１５Ｌに加えられた左複合信号Ｌｏは差動増幅回路１６Ｌの＋端子に加えられる。また入力端子１５Ｒに加えられた右複合信号Ｒｏは差動増幅回路１６Ｒの＋端子に加えられる。
さらに入力端子１５Ｌ、１５Ｒに加えられた左複合信号Ｌｏ、右複合信号Ｒｏは共通信号検出回路１７に加えられ、中間出力信号Ｓを発生する。発生された中間出力信号Ｓはそのまま中間出力端子１８Ｓから取出される他、差動増幅回路１６Ｌ、１６Ｒの−端子に加えられる。
差動増幅回路１６Ｌからは出力端子１８Ｌに中間出力信号Ｓが含まれない左信号Ｌが取出され、差動増幅回路１６Ｒからは出力端子１８Ｒに中間出力信号Ｓが含まれない左信号ＬＲが取出される。
図２はステレオ信号取出回路１４の原理図で、第１および第２の変換器２１Ｌおよび２１Ｒを用いて中間出力信号Ｓを取出す原理を示している。第１および第２の変換器２１Ｌ、２１Ｒは例えば、図４で示すようなトランスで、２入力端子を有する１次側巻線と両出力端子と両出力端子間に中間出力端子を有する２次側巻線を有する。
また第１および第２の変換器２１Ｌ、２１Ｒは後述の図１１で示す差動増幅回路を組合わせ形成した電子式のトランスであってもよい。
第１の変換器２１Ｌおよび第２の変換器２１Ｒの２次側部２１Ｌ２、２１Ｒ２は一方の出力端子ｔ５、ｔ５を接続しＶ結線している。そして２次側部２１Ｌ２、２１Ｒ２の他方の出力端子ｔ３、ｔ３は高抵抗Ｒ１、Ｒ１を介し接続し、中間出力端子ｔ４を設けている。
第１の変換器２１Ｒの１次側部２１Ｌ１の入力端子ｔ１に中間出力信号Ｓを含む左複合信号Ｌｏ＝２Ｌ＋２Ｓが加えられる。また第２の変換器２１Ｒ１の１次側部２１Ｒ１の入力端子ｔ１に中間出力信号Ｓを含む右複合信号Ｒｏ＝２Ｒ＋２Ｓが加えられる。
Ｖ結線された第１の変換器２１Ｌの２次側部２１Ｌ２の端子ｔ３には信号Ｌ＋Ｓが誘起され、端子ｔ５には信号−Ｌ−Ｓが誘起される。第２の変換器２１Ｒの２次側部２１Ｒ２の端子ｔ３には信号Ｒ＋Ｓが誘起される。端子ｔ５には信号−Ｒ−Ｓが誘起される
従って第１の変換器２１Ｌの２次側部２１Ｌ２の端子ｔ３と高抵抗Ｒ１との接続点Ｘには信号Ｌ＋Ｓ−Ｒが分離される。また第２の変換器２１Ｒの２次側部２１Ｒ２の端子ｔ３と高抵抗Ｒ１と接続点Ｙには信号Ｒ＋Ｓ−Ｌが分離される。さらにトランスＴ１の２次側巻線Ｔ１２の端子ｔ５と第２のトランスＴ２の２次側巻線Ｔ２２の端子ｔ５と接続点Ｚには信号−Ｒ−Ｓ−Ｌが分離される。
その結果、高抵抗Ｒ１、Ｒ１の接続点にある中間出力端子ｔ３には中間出力信号Ｓが分離される。また第１および第２の変換器２１Ｌ、２１Ｒの２次側部２１Ｌ１、２１Ｒ１の各中間出力端子ｔ４からは左信号−Ｌおよび右信号−Ｒが分離される。
図３は前述した各ステレオ信号を分離すためのステレオ信号取出回路１４の回路図である。ステレオ信号取出回路１４は第１のトランスＴ１、第２のトランスＴ２および第３のトランスＴ３よりなる。
図４に各トランスＴ１、Ｔ２、Ｔ３を示す。図４（Ａ）に示すように、第１のトランスＴ１は１次側巻線Ｔ１１と２次側巻線Ｔ１２を有し、１次側巻線Ｔ１１と第１の２次側巻線Ｔ１２は共にインピーダンスが１ＫΩにされている。また１次側巻線Ｔ１１と２次側巻線Ｔ１２の巻線比は１：１にされている。
第１のトランスＴ１の１次側巻線Ｔ１１の両端には２入力端子ｔ１、ｔ２を有し、２次側巻線Ｔ１２には両端に３出力端子ｔ３、ｔ５を有する他、出力端子ｔ３、ｔ５の中間には中間出力端子ｔ４を有する。
図４（Ｂ）および図４（Ｃ）に示すように、第２のトランスＴ２および第３のトランスＴ３も第１のトランスＴ１と同様な構成をなす。
図３に示すように、第１のトランスＴ１の１次側巻線Ｔ１１の一方の入力端子ｔ１と第３のトランスＴ３の１次側巻線Ｔ３１の一方の入力端子ｔ１とが接続されている。同様に第２のトランスＴ２の１次側巻線Ｔ２１の一方の入力端子ｔ１と第３のトランスＴ３の１次側巻線Ｔ３１の前記と異なる他方の入力端子ｔ２とが接続されている。
第１のトランスＴ１、第２のトランスＴ２および第３のトランスＴ３の２次側巻線Ｔ１２、Ｔ２２、Ｔ３２はデルタ結線されている。第１のトランスＴ１の１次側巻線Ｔ１１の入力端子ｔ１と第３のトランスＴ３の１次側巻線Ｔ３１の入力端子ｔ１に中間出力信号Ｓを含む左複合信号Ｌｏ＝２Ｌ＋２Ｓが加えられる。また第２のトランスＴ２の１次側巻線Ｔ２１の入力端子ｔ１と第３のトランスＴ３の１次側巻線Ｔ３１の入力端子ｔ２に中間出力信号Ｓを含む右複合信号Ｒｏ＝２Ｒ＋２Ｓを加えられる。
上述のような構成をなしており、１次側巻線と２次側巻線の巻線比が１：１にされているので、デルタ結線された第１のトランスＴ１の２次側部側巻線Ｔ１２の端子ｔ３には信号Ｌ＋Ｓが誘起され、端子ｔ５には信号−Ｌ−Ｓが誘起される。
第２のトランスＴ２の２次側巻線Ｔ２２の端子ｔ３には信号Ｒ＋Ｓが誘起される。端子ｔ５には信号−Ｒ−Ｓが誘起される
第３のトランスＴ３の２次側部側巻線Ｔ１２の端子ｔ３には信号Ｌ−Ｒ誘起される。端子ｔ５には信号Ｒ−Ｌが誘起される
従って第１のトランスＴ１の２次側巻線Ｔ１２の端子ｔ３と第３のトランスＴ３の２次側巻線Ｔ３２の端子ｔ３との接続点Ｘには信号Ｌ＋Ｓ−Ｒが分離される。また第２のトランスＴ２の２次側巻線Ｔ２２の端子ｔ３と第３のトランスＴ３の２次側巻線Ｔ３２の端子ｔ５と接続点Ｙには信号Ｒ＋Ｓ−Ｌが分離される。さらにトランスＴ１の第１の２次側巻線Ｔ１２の端子ｔ５と第２のトランスＴ２の２次側巻線Ｔ２２の端子ｔ５と接続点Ｚには信号−Ｒ−Ｓ−Ｌが分離される。
それ故に第１、第２および第３のトランスＴ１、Ｔ２、Ｔ３の２次側巻線の各中間出力端子ｔ４からは左信号−Ｌ、右信号−Ｒおよび中間出力信号Ｓが分離される。
図５は図２および図３で分離された中間出力信号Ｓを取出すことができるようにした結線図である。図２および図３において中間出力信号Ｓは分離される。しかしＶ結線された変換器２１Ｌ、２１Ｒの２次側部２１Ｌ２、２１Ｒ２およびΔ結線された第１、第２および第３のトランスＴ１、Ｔ２、Ｔ３の第１の２次側巻線Ｔ１２、２２、３２はフローティングされているので、このままでは各分離された信号を取出すことができない。
そこで図２で分離された中間出力信号Ｓは以下にして取出すことができる。尚ここでは図２について説明するが、図３においても全く同様にして中間出力信号Ｓを取出すことができる。
図５において、図２との相違は第１の１次側部２１Ｌ１の−端子ｔ２を一定電位に固定し、端子ｔ１に入力端子２０Ｌに加えた左複合信号Ｌｏをスイッチング素子２５Ａを介して加える。また第２の変換器２１Ｒの１次側部の−端子ｔ２を一定電位に固定し、端子ｔ１に入力端子２０Ｒに加えられた右複合信号Ｒｏをスイッチング素子５Ｂを介して加える。
スイッチング素子２５Ａ、２５Ｂは半導体素子で構成され約５０ＫＨＺでオン・オフが繰り返され、オンされるごとに各変換器の１次側部に左複合信号Ｌｏおよび右複合信号Ｒｏが加えられる。
従って第１の変換器２１Ｌの２次側部２１Ｌ２の端子ｔ３と高抵抗Ｒ１との接続点Ｘには無信号時の回路電位と信号Ｌ＋Ｓ−Ｒが交互に発生する。また第２の変換器２１Ｒの２次側部２１Ｒ２の端子ｔ３と高抵抗Ｒ１と接続点Ｙには無信号時の回路電位と信号Ｒ＋Ｓ−Ｌが交互に発生する。さらにトランスＴ１の２次側巻線Ｔ１２の端子ｔ５と第２のトランスＴ２の２次側巻線Ｔ２２の端子ｔ５と接続点Ｚには無信号時の回路電位と信号−Ｒ−Ｓ−Ｌが交互に発生する。
その結果、接続点Ｘと接続点Ｙに高抵抗Ｒ１、Ｒ１で接続された中間出力端子ｔ４から無信号時の回路電位と中間信号Ｓが交互に取出される。それと共にＶ結線された第１、第２の変換器２１Ｌ、２１Ｒの２次側部２１Ｌ１、２１Ｒ１の各中間出力端子ｔ４からは無信号時の回路電位と左信号−Ｌ、右信号−Ｒが交互に取出される。
図６は前述の取出された中間出力信号Ｓを出力する回路である。接続点Ｘと接続点Ｙに高抵抗Ｒ１、Ｒ１で接続された中間出力端子ｔ４にはバッファアンプ２７を介して図５に図示したスイッチング素子２５Ａ、２５Ｂと連動するスイッチ２６が接続されている。スイッチ２６の一方の接点２６Ｓ１は標本化回路２８Ａに接続されている。またスイッチ２６の他方の接点２６Ｓ２は標本化回路２８Ｂに接続されている。
標本化回路２８Ａの出力は差動増幅回路３０の＋端子に接続され、標本化回路２８Ｂの出力は差動増幅回路３０の−端子に接続されている。差動増幅回路３０の出力端子にはフイルタ回路３１が接続されている。
前述したスイッチング素子２５Ａ、２５Ｂがオンとなり、スイッチ２６が接点２６Ｓ１に切替えられているときには標本化回路２８Ａで標本化された中間出力信号Ｓが差動増幅回路３０のプラス端子に加えられ、スイッチング素子２５Ａ、２５Ｂがオフとなり、スイッチ２６が接点２６Ｓ２に切替えられているときには標本化回路２８Ｂで標本化された無信号時の回路電位が差動増幅回路３０の−端子に加えられる。従って差動増幅回路３０で標本化された中間出力信号Ｓと無信号時の回路電位が比較され、差動増幅回路３０の出力端子に中間出力信号Ｓが取出される。
図７は図３で分離された中間出力信号Ｓを取出すことができるようにした他の実施例を示す結線図である。前述においては中間出力信号Ｓを取出すのにスイッチング素子を用いたが、スイッチング素子を使用しないで中間出力信号Ｓを取出す中間出力信号取出回路の結線図である。
図８に示すように、第１、第２、第３のトランスＴ１、Ｔ２、Ｔ３には巻線比が１：１にされた１次側巻線Ｔ１１、Ｔ２１、Ｔ３１と第１の２次側巻線Ｔ１２、Ｔ２２、Ｔ３２および第２の２次側巻線Ｔ１３、Ｔ２３、Ｔ３３を有する。また第１の２次側巻線Ｔ１２、Ｔ２２、Ｔ３２には両出力端子ｔ３１、ｔ５１および中間出力端子ｔ４１を有し、第２の２次側巻線Ｔ１３、Ｔ２３、Ｔ３３には両出力端子ｔ３２、ｔ５２および中間出力端子ｔ４２を有する。
第１トランスＴ１の１次側巻線Ｔ１１の端子ｔ１と第３トランスＴ３の１次側巻線Ｔ３１の入力端子ｔ１とは接続され、左複合信号Ｌｏ＝２Ｌ＋２Ｓが加えられる。入力端子ｔ２はアースされている。
同様に第２トランスＴ２の１次側巻線Ｔ２１の入力端子ｔ１と第３トランスＴ３の１次側巻線Ｔ３１の入力端子ｔ２とは接続され、右複合信号Ｒｏ＝２Ｒ＋２Ｓが加えられる。尚入力端子ｔ２はアースされている。
第１、第２、第３のトランスＴ１、Ｔ２、Ｔ３の第１の２次側巻線Ｔ１２、Ｔ２２、Ｔ３２および第２の２次側巻線Ｔ１３、Ｔ２３、Ｔ３３をそれぞれデルタ結線する。デルタ結線された前記第１、第２、第３のトランスＴ１、Ｔ２、Ｔ３の第１の２次側部Ｔ１２、Ｔ２２、Ｔ３２の各中間出力端子ｔ４１をインピダンス無限大の差動増幅回路３０Ａ、３０Ｂ、３０Ｃの＋入力端子に接続する。また第２の２次側巻線Ｔ１３、Ｔ２３、Ｔ３３の中間出力端子ｔ４２をそれぞれ差動増幅回路の各３０Ａ、３０Ｂ、３０Ｃの−入力端子に接続する。
前述のような結線をなし、第１トランスＴ１の１次側巻線Ｔ１１の入力端子ｔ１と第３トランスＴ３の１次側巻線Ｔ３１の入力端子ｔ１に信号２Ｌ＋２Ｓを加え、第２トランスＴ２の１次側巻線Ｔ２１の入力端子ｔ１と第３トランスＴ３の１次側巻線Ｔ３１の入力端子ｔ２に信号２Ｒ＋２Ｓを加えられる。
前述の信号を加えることにより、第１の２次側巻線Ｔ１２と第１の２次側巻線Ｔ３２の接続点Ｘ１には信号−Ｌ−Ｓ＋Ｒが誘起される。また第１の２次側巻線Ｔ２２と第１の２次側巻線Ｔ３２の接続点Ｙ１には信号−Ｒ−Ｓ＋Ｌが誘起される。さらに第１の２次側巻線Ｔ１２と第１の２次側巻線Ｔ２２の接続点Ｚ１には信号＋Ｒ＋Ｓ＋Ｌが誘起される。
同様に第２の２次側巻線Ｔ１３と第２の２次側巻線Ｔ３３の接続点Ｘ２には信号＋Ｌ＋Ｓ−Ｒが誘起される。また第２の２次側巻線Ｔ３３と第２の２次側巻線Ｔ１３の接続点Ｙ２には信号＋Ｒ＋Ｓ−Ｌが誘起される。さらに第２の２次側巻線Ｔ１３と第２の２次側巻線Ｔ２３の接続点Ｚ２には信号−Ｒ−Ｓ−Ｌが誘起される。
従って差動増幅回路３０Ｃの＋入力端子には中間出力信号−Ｓが加えられ、−入力端子には中間出力信号−Ｓが加えられるので、差動増幅回路３０Ｃの出力端子には中間出力信号Ｓ２Ｓが取出される。
同じようにして、差動増幅回路３０Ａの＋入力端子には右信号Ｒが加えられ、−入力端子には右信号−Ｒが加えられるので、差動増幅回路３０Ａの出力端子には右信号Ｒ２Ｒが取出される。
差動増幅回路３０Ｂの＋入力端子には左信号Ｌが加えられ、−入力端子には左信号−Ｌが加えられるので、差動増幅回路３０Ｂの出力端子には右信号Ｒ２Ｌが取出される。
図９は図７を改良し、さらに安定してステレオ信号が取出されるようにしたものである。図７と異なるところは新たに第４、第５、第６のトランスＴ４、Ｔ５、Ｔ６を設けたことである。
図１０に示すように、第４、第５、第６のトランスＴ４、Ｔ５、Ｔ６は巻線比が１：１にされた１次側巻線Ｔ４１、Ｔ５１、Ｔ６１、第１の２次側巻線Ｔ４２、Ｔ５２、Ｔ６２および第２の２次側巻線Ｔ４３、Ｔ５３、Ｔ６３を有す。
第４、第５、第６のトランスＴ４、Ｔ５、Ｔ６の１次側巻線Ｔ４１、Ｔ５１、Ｔ６１の両入力端子ｔ１、ｔ２は第１、第２、第３のトランスＴ１、Ｔ２、Ｔ３の第１の２次側巻線Ｔ１２、Ｔ２２、Ｔ３２の中間出力端子ｔ４と第３次巻線Ｔ１３、Ｔ２３、Ｔ３３の中間出力端子ｔ４とにバッファアンプ３３Ａ〜３３Ｆを介して接続されている。
そして第４、第５、第６のトランスＴ４、Ｔ５、Ｔ６の第１の２次側巻線Ｔ４２、Ｔ５２、Ｔ６２の中間出力端子ｔ４と第１、第２、第３のトランスＴ１、Ｔ２、Ｔ３の１次側巻線Ｔ４１、Ｔ５１、Ｔ６１の同じ入力信号が加えられる入力端子ｔ１のいずれかを接続する。例えば第５のトランスＴ５の第２の２次側巻線Ｔ５２の信号Ｒ＋Ｓが取出される中間出力端子ｔ４と右入力信号Ｒ＋Ｓが加えられる第２トランスＴ２の一次側巻線Ｔ２１の入力端子ｔ１とを接続する。前述の接続することにより、デルタ結線された第１、第２、第３のトランスＴ１、Ｔ２、Ｔ３の第１の２次側巻線Ｔ１２、Ｔ２２、Ｔ３２および第２の２次側巻線Ｔ１３、Ｔ２３、Ｔ３３全体がアース電位となる。
従って中間出力信号Ｓはバッファアンプ３３Ｄの出力端子から取出され、右信号Ｒおよび左信号Ｌはバッファアンプ３３Ａ、３３Ｅの出力端子からそれぞれ取出される。
前述の実施例においては変換器としてトランスを用いたが、トランスの代わりに差動増幅器を用いて電子式のトランスを用いることができる。
図１１は電子式のトランスに用いた差動増幅回路である。差動増幅回路３６は入力部３７と出力部３８の入力部電源ＶＤＤ１、ＶＥＥ１と出力部電源ＶＤＤ２、ＶＥＥ２がそれぞれ別系統となって回路が直流的に切離されている。
直流的に分離する方法として、前述の他、発光ダイオードとフォトダイオードの組合わせによる方法、あるいは信号を電流値に変換して電源の異なる別回路に供給する方法等もある。
図１２は差動増幅回路３６Ａ、３６Ｂを用いて変換器となる電子式のトランスのブロック図である。１次側部は差動増幅回路３６Ａの入力部３７Ａの＋端子と入力部３７Ｂの−端子と接続し１次正入力端子３６ｔ１とし、差動増幅回路３６Ａの−端子と３６Ｂの＋端子と接続し、１次負入力端子３６ｔ２としている。１次正入力端子３６ｔ１と１次負入力端子３６ｔ２間には１ＫΩのダミー抵抗４４が接続されている。
２次側部は差動増幅回路３６Ａの入力部３７Ａの出力部３８Ａ、３８Ｂの出力端子から１ＫΩのダミー抵抗４０Ａ１、４０Ａ２、４０Ｂ１、４０Ｂ２を介して出力端子３６ｔ３、３６ｔ５に２次正出力信号および負出力信号を取り出せる。
出力部３８Ａ、３８Ｂの出力部電源ＶＤＤ２の＋端子は出力部電源Ｅ１、Ｅ２の＋端子に接続され、出力部電源ＶＤＤ２の−端子は出力部電源Ｅ１、Ｅ２の−端子に接続されている。出力部電源Ｅ１の−端子と出力部電源Ｅ２の＋端子との接続点から出力端子３８ｔ４に中点信号を取出すことができる。
図１２に示す電子式のトランスは図４に示すトランスＴ１、Ｔ２、Ｔ３と等価でり、トランスＴ１、Ｔ２、Ｔ３の１次側巻線Ｔ１１、Ｔ２１、Ｔ３１は入力部３７Ａ、３７Ｂに相当する。またトランスＴ１、Ｔ２、Ｔ３の第１の２次側巻線Ｔ１２、Ｔ２２、Ｔ３２は出力部３８Ａ、３８Ｂに相当する。
さらにトランスＴ１、Ｔ２、Ｔ３の端子ｔ１は１次正入力端子３７ｔ１に相当し、端子ｔ２は１次負入力端子３７ｔ２に相当し、端子ｔ３は２次正入力端子３８ｔ３に相当し、端子ｔ４は出力端子３８ｔ４に相当し、端子ｔ５は２次負入力端子３８ｔ５に相当する。前述のトランスＴ１、Ｔ２、Ｔ３の代わりとして、図１２に示す電子式のトランスに置換できる。
図１３は図８および図１０に示すトランスと等価の電子式のトランスのブロック図である。図１２の電子式のトランスに差動増幅回路３６Ｃ、３６Ｄの入力部３７Ｃと３７Ｄを差動増幅回路３６Ａ、３６Ｂの入力部３７Ａと３７Ｂに並列接続したものである。
出力部３８Ｃ、３８ＤがトランスＴ１（Ｔ２、Ｔ３）の第２の２次側巻線Ｔ１３（Ｔ２２、Ｔ３２）に相当し、出力部３８Ｃ、３８ＤがトランスＴ１（Ｔ２、Ｔ３）の第２の２次側巻線Ｔ１３（Ｔ２３、Ｔ３３）に相当する。
図１４は前述して取出されたステレオ信号を再生するステレオ再生装置のブロック図である。ステレオ信号再生取出回路１４の端子１５Ｌ、１５Ｒには左複合信号Ｌｏ、右複合信号Ｒｏが加えられる。ステレオ信号取出回路１４の出力端子１８Ｌ、１８Ｒ、１８Ｓから前述したように左信号Ｌ、右信号Ｒおよび中間出力信号Ｓが取出される。取出された左信号Ｌ、右信号Ｒおよび中間出力信号Ｓは増幅回路４２Ｌ、４２Ｒ、４２Ｓで増幅された後スピーカ４１Ｌ、４１Ｒ、４１Ｓに加えられる。
スピーカ４１Ｌは一番左に置かれ、スピーカ４１Ｒは一番右に置かれる。そしてスピーカ４１Ｓはスピーカ４１Ｌとスピーカ４１Ｒの中間、できれば中央に置かれることが望ましい。
スピーカ４１Ｌは左信号Ｌが発生され、スピーカ４１Ｒからは右信号Ｒが発生される。そして本発明のステレオ再生装置の特徴は中央にあるスピーカ４１Ｓから中央の中間出力信号Ｓが発生されていることである。
従って真ん中にいる聴取者は当然に左信号Ｌと右信号Ｒと共に中央の中間出力信号Ｓを聴くことができ、臨場感のあるステレオを楽しむことができる。それと共に右または左にずれた聴衆者にも左信号Ｌと右信号Ｒと共に、中央の中間出力信号Ｓを聴くことができ、真ん中にいる聴衆者と同様に臨場感のあるステレオを楽しむことができる。
図１５は本発明のステレオ再生装置の他の実施例を示すブロック図である。図１３は比較的狭い室内あるいは車の中でステレオを楽しむ場合であるが、劇場等の広い場所でステレオを聴くときには中央の中間出力信号Ｓを１つで再生するだけでは不十分である。
そこで左側に置かれたスピーカ４１Ｌと中央に置かれたスピーカ４１Ｓとの中間に第２の中間スピーカ４１Ｓ２を置き、右側に置かれたスピーカ４１Ｒと中央に置かれたスピーカ４１Ｓとの中間に第３の中間スピーカ４１Ｓ３を置く。さらに第２および第３のステレオ信号取出回路１４Ｂ、１４Ｃを接続する。
第２および第３のステレオ信号取出回路１４Ｂ、１４Ｃは第１のステレオ信号取出回路１４と同一で、図２または図３の構成をなしている。
そして第２のステレオ信号取出回路１４Ｂの入力端子に第１の信号取出回路１４Ａから取出された左信号Ｌと第１の中間出力信号Ｓを加えると、第２のステレオ信号取出回路１４Ｂから左信号ＬＬと第１の中間出力信号Ｓとの中間となる第２の中間出力信号ＬＳを取出す。
又第３のステレオ信号取出回路１４Ｃの入力端子に第１の信号取出回路１４Ａから取出された左信号Ｒと第１の中間出力信号Ｓを加えると、第３のステレオ信号取出回路１４Ｃから左信号ＲＲと第１の中間出力信号Ｓとの中間となる第３の中間出力信号ＲＳを取出す。
第２の中間出力信号ＬＳは増幅器４２Ｓ２で増幅され第２の中間スピーカ４１Ｓ２に加え第２の中間出力信号Ｓ２を発生させる。同様に第３のステレオ信号取出回路１４Ｃから取出された第３の中間出力信号ＲＳは第３の中間スピーカ４１Ｓ３に加え第３の中間出力信号ＲＳを発生させる。
前述と同様にスピーカ４１Ｌからは左信号が発生し、スピーカ４１Ｒからは右信号が発生し、且つスピーカ４１Ｓからは第１の中間出力信号Ｓが発生されている。このようにすることにより広い場所のどこでも中間出力信号を聴くことができより臨場感があるステレオを聴くことができる。
上述では第２および第３の中間出力信号Ｓを再生したが、必要に応じて第４、第５の中間出力信号Ｓを再生することによりいかなる広い場所でも皆が臨場感がるステレオを楽しむことができる。
【発明の効果】
本発明のステレオ信号取出回路は２入力端子を有する１次側部と３出力端子を有する２次側部を備えた第１、第２および第３の変換器とを用いることにより、従来取り出すことができなかった左右信号Ｒに含まれている中間出力信号Ｓを取出すことができるので、左右のスピーカーの中間に置かれた中間のスピーカーから中間出力信号Ｓを発生させることにより、真ん中にいる聴取者のみならず、いずれの場所にいる聴取者もＨｉＦｉのステレオ演奏を楽しむことができる。
【図面の簡単な説明】図１は本発明のステレオ信号取出回路のブロック図であり、図２は本発明のステレオ信号取出回路の原理を示す原理図であり、図３は本発明のステレオ信号取出回路の回路図であり、図４は本発明のステレオ信号取出回路に用いたトランスの図で、図４（Ａ）は第１のトランス、図４（Ｂ）は第２のトランス、図４（Ｃ）は第３のトランスの図であり、図５は本発明のステレオ信号取出回路の回路図である。図６は図５の動作を説明する回路図であり、図７は本発明のステレオ信号取出回路の回路図であり、図８は本発明のステレオ信号取出回路に用いたトランスの図であり、図９は本発明のステレオ信号取出回路の回路図である。図１０は本発明のステレオ信号取出回路に用いたトランスの図であり、図１１は本発明のステレオ信号取出回路の電子式トランスに用いた差動増幅回路のブロック図であり、図１２は本発明のステレオ信号取出回路に用いた電子式のトランスのブロック図であり、図１３は本発明のステレオ信号取出回路に用いた電子式のトランスのブロック図であり、図１４本発明のステレオ再生装置のブロック図であり、図１５は本発明のステレオ再生装置のブロック図であり、図１６は従来のステレオ再生装置のブロック図である。
Ｌ        左信号                          Ｔ２２    ２次側巻線
Ｒ        右信号                          Ｔ３１    １次側巻線
Ｌｏ      左複合信号                      Ｔ３２    ２次側巻線
Ｒｏ      右複合信号                      Ｔ４１    １次側巻線
Ｓ        中間信号                        Ｔ４２    ２次側巻線
ＬＳ      第２の中間信号                  Ｔ５１    １次側巻線
ＲＳ      第３の中間信号                  Ｔ５２    ２次側巻線
Ｌｉ      音声信号                        Ｔ６１    １次側巻線
Ｒｉ      音声信号                        Ｔ６２    ２次側巻線
Ｔ１      第１のトランス                  ｔ１      入力端子
Ｔ２      第２のトランス                  ｔ２      入力端子
Ｔ３      第３のトランス                  ｔ３      出力端子
Ｔ４      第４のトランス                  ｔ４      中間出力端子
Ｔ５      第５のトランス                  ｔ５      出力端子
Ｔ６      第６のトランス                  Ｃ        音声信号
Ｔ１１    １次側巻線                      ΔＬ      サランド信号
Ｔ１２    ２次側巻線                      ΔＲ      サランド信号
Ｔ２１    １次側巻線                      ＶＤＤ１  入力電源部
ＶＥＥ１  入力電源部                      １５Ｒ    右信号入力
ＶＤＤ２  出力電源部                      １６Ｌ    差動増幅回路
ＶＥＥ２  出力電源部                      １６Ｒ    差動増幅回路
１Ｌ      入力端子                        １７      共通信号検出回路
１Ｒ      入力端子                        １８Ｌ    出力端子
２ＬＦ    増幅回路                        １８Ｒ    出力端子
２ＬＲ    増幅回路                        １８Ｓ    出力端子
２Ｃ      増幅回路                        ２０Ｌ    入力端子
３ＬＦ    スピーカー                      ２０Ｒ    入力端子
３ＲＦ    スピーカー                      ２１Ｌ    第１の変換器
３ＣＦ    スピーカー                      ２１Ｌ１  １次側部
３ＬＢ    スピーカー                      ２１Ｌ２  ２次側部
３ＲＢ    スピーカー                      ２１Ｒ    第２の変換器
１４      ステレオ信号取出回路            ２１Ｒ１  １次側部
１４Ａ    第１のステレオ信号取出回路      ２１Ｒ２  ２次側部
１４Ｂ    第２のステレオ信号取出回路      ２５Ａ    スイッチング素子
１４Ｃ    第３のステレオ信号取出回路      ２５Ｂ    スイッチング素子
１５Ｌ    左信号入力                      ２７      バッファ増幅回路
２８Ａ    標本化回路                      ３７Ｂ    入力部
２８Ｂ    標本化回路                      ３７ｔ１  １次正入力端子
３０Ａ    差動増幅回路                    ３７ｔ２  １次負入力端子
３０Ｂ    差動増幅回路                    ３８Ａ    出力部
３０Ｃ    差動増幅回路                    ３８Ｂ    出力部
３１      フィルタ回路                    ３８ｔ３  ２次正出力端子
３３Ａ    バッファアンプ                  ３８ｔ４  ２次中点端子
３３Ｂ    バッファアンプ                  ３８ｔ５  ２次負出力端子
３３Ｃ    バッファアンプ                  ４０Ａ１  ダミー抵抗
３３Ｄ    バッファアンプ                  ４０Ａ２  ダミー抵抗
３３Ｅ    バッファアンプ                  ４０Ｂ１  ダミー抵抗
３３Ｆ    バッファアンプ                  ４０Ｂ２  ダミー抵抗
３６      差動増幅回路                    ４１Ｌ    左スピーカ
３６Ａ    差動増幅回路                    ４１Ｒ    右スピーカ
３６Ｂ    差動増幅回路                    ４１Ｓ    中央スピーカ
３７      差動増幅回路                    ４１Ｓ２  中央スピーカ
３７Ａ    入力部                          ４１Ｓ３  中央スピーカ
【図１】
2004077883.tif 000003
【図２】
2004077883.tif 000004
【図３】
2004077883.tif 000005
【図４】
2004077883.tif 000006
【図５】
2004077883.tif 000007
【図６】
2004077883.tif 000008
【図７】
2004077883.tif 000009
【図８】
2004077883.tif 000010
【図９】
2004077883.tif 000011
【図１０】
2004077883.tif 000012
【図１１】
2004077883.tif 000013
【図１２】
2004077883.tif 000014
【図１３】
2004077883.tif 000015
【図１４】
2004077883.tif 000016
【図１５】
2004077883.tif 000017
【図１６】
2004077883.tif 000018
【国際調査報告】
2004077883.tif 000019
2004077883.tif 000020
2004077883.tif 000021
2004077883.tif 000022